(57)【特許請求の範囲】
【請求項１】
住宅の雨水管における雨水の流量を制限する流量絞りと、該流量絞りで流量制限される雨水を受け入れる貯留タンクと、を備え、該貯留タンクは、許容最大貯水量を超える雨水を外部に排出することにより前記雨水管内に雨水が滞留することを防止可能な過剰水排出口を上部に備え、前記貯留タンクが実質的に空になるように該貯留タンク内の雨水を自然に排出する常時開放の全量排出口が前記貯留タンクに連通して形成されている雨水制御装置を使用し、限られた地域に対して短時間の多量の雨が何回も継続して降る集中豪雨の際に、一回の豪雨中に前記貯留タンクへの雨水貯留を行い、該一回の豪雨が収まった後、次の豪雨が来るまでの間に３０分程度で前記全量排出口からの全量排出を行うことを特徴とする雨水制御方法。
【請求項２】
請求項１に記載の雨水制御方法において、前記流量絞りの雨水通過率が５％乃至４０％であることを特徴とする雨水制御方法。
【請求項３】
請求項１又は２に記載の雨水制御方法において、前記貯留タンクの雨水が前記一回の豪雨が収まった後、次の豪雨が来るまでの間に３０分程度で実質的に全て排出されるように、前記貯留タンクの容量と前記全量排出口の大きさとが設定されていることを特徴とする雨水制御方法。
【請求項４】
住宅の雨水管における雨水の流量を制限する流量絞りと、該流量絞りで流量制限される雨水を受け入れる貯留タンクと、を備え、該貯留タンクは、許容最大貯水量を超える雨水を外部に排出することにより前記雨水管内に雨水が滞留することを防止可能な過剰水排出口を上部に備え、前記貯留タンクが実質的に空になるように該貯留タンク内の雨水を自然に排出する常時開放の全量排出口が前記貯留タンクに連通して形成されている雨水制御装置であって、前記貯留タンクが、前記雨水管を包囲するように組み合わせ可能な分割部品の液密な結合により形成される、雨水制御装置。
【請求項５】
住宅の雨水管における雨水の流量を制限する流量絞りと、該流量絞りで流量制限される雨水を受け入れる貯留タンクと、を備え、該貯留タンクは、許容最大貯水量を超える雨水を外部に排出することにより前記雨水管内に雨水が滞留することを防止可能な過剰水排出口を上部に備え、前記貯留タンクが実質的に空になるように該貯留タンク内の雨水を自然に排出する常時開放の全量排出口が前記貯留タンクに連通して形成されている雨水制御装置であって、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの下部が戻し管によって前記流量絞りよりも上流側で前記雨水管に連通され、前記戻し管が前記過剰水移送管を兼ね、前記流量絞りの雨水通過孔が前記全量排出口となる、雨水制御装置。
【請求項６】
住宅の雨水管における雨水の流量を制限する流量絞りと、該流量絞りで流量制限される雨水を受け入れる貯留タンクと、を備え、該貯留タンクは、許容最大貯水量を超える雨水を外部に排出することにより前記雨水管内に雨水が滞留することを防止可能な過剰水排出口を上部に備え、前記貯留タンクが実質的に空になるように該貯留タンク内の雨水を自然に排出する常時開放の全量排出口が前記貯留タンクに連通して形成されている雨水制御装置であって、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの上端の少なくとも一部が開放されて上端開放部が形成され、該上端開放部が前記過剰水排出口とされ、前記貯留タンクの前記上端開放部に向けて前記過剰水移送管の外端部が開口している、雨水制御装置。
【発明の詳細な説明】
【技術分野】
【０００１】
本発明は、住宅の雨水管から下水道等へ向けて流れる雨水の流量を制御する雨水制御装置に関するものである。
【背景技術】
【０００２】
住宅の屎尿や生活排水等の汚水を一旦貯留して下水道へと排出する汚水桝（特許文献１参照）には、図１３に示すように、住宅３０の雨樋（雨水管）３１から雨水が導入される場合がある。すなわち、住宅の軒樋３２が縦樋３３を介して、地中に埋設される汚水桝３４に連通されるタイプであり、汚水桝３４が雨水桝（特許文献２参照）を兼ねるものである。この場合、住宅３０で発生した汚水と雨樋３１に流入した雨水は、共に汚水桝３４に流入し、この汚水桝３４から下水道へと排出される。
【０００３】
このタイプの汚水桝３４において、雨樋３１から汚水桝３４に流入する雨水の量が汚水桝３４から下水道への排水量を超えるほど降雨量が多い場合には、住宅の汚水源３５（トイレ、風呂、台所等）へと汚水桝３４から、雨水を含む汚水が逆流してしまい、住宅内が水浸しになってしまう危険がある。
【０００４】
図１３には、大雨の影響で縦樋３３及び軒樋３２の中が満水状態となり、軒樋３２から雨水Ｒが溢れ出ている状態が示されている。雨樋３１から流れ込む雨水で汚水桝３４が満杯になってしまうと、汚水桝３４内の汚水が汚水源３５としてのトイレから住宅内へと流れ込む。雨樋３１を構成する軒樋３２は汚水桝３４よりもはるかに高い位置にあるので、軒樋３２に流れ込む雨水によって汚水桝３４内が加圧され、汚水源３５への汚水の逆流が促進される。地球温暖化の影響からか、局地的な豪雨に見舞われることが多い昨今、この問題は甚だ深刻である。
【０００５】
また、雨樋の雨水が雨水専用の雨水桝に導入される場合にも、大雨で雨水桝が満杯になり下水道設備に排出できない時には、軒樋から雨水が溢れて軒下に流れ出す事態が発生する。
【０００６】
さらにまた、高層の集合住宅では、大雨の際に雨水桝が満杯になり、又は縦樋が細いと上層階の雨水だけで縦樋が満杯になり、低階層の住宅のベランダに雨水が滞留してしまうという問題も生ずる。
【０００７】
そこで、特許文献３，４に示すように、下水道等へ向けて縦樋内を通過する雨水の流量を規制し、規制された雨水を貯水タンクに溜めることで、前記のような問題を解決しようとするものが提案されている。
【先行技術文献】
【特許文献】
【０００８】
【特許文献１】特開平９−２７３１６６号公報
【特許文献２】特開平７−２９２７５８号公報
【特許文献３】実開平７−２５０５５号公報
【特許文献４】特開２００８−１２１２７４号公報
【発明の概要】
【発明が解決しようとする課題】
【０００９】
しかし、特許文献３，４の提案では、貯水タンクが満杯になってしまうと、縦樋内を下水道等へ向けて雨水が流れなくなってしまい、前記と同様の問題が発生してしまう。いずれの文献にも、貯水タンクには開閉自在な排水口（特許文献３では第一排水口３、特許文献４では雨水取出し蛇口）が設けられているが、これらの排水口は人為的に開閉操作されるもので、貯水タンクからの排水を自動的に制御するものではない。
【００１０】
また、特許文献３では、一応、第二排水口４より少量の排水が常時行われており、降雨がやんだ後も自然に排水できると開示されているが、特許文献３で例示されている容量３０００リットルの貯水タンクから自然に排水する時間は相当に長いと思われる。このため、断続的な豪雨に見舞われた場合、貯水タンクが一旦満杯になってしまうと、それ以後の豪雨には自然排水では対応できない心配がある。しかも自然に排水するのは、住宅敷地の庭先であり、本当に「降雨がやむまで」の一回限りの貯留が目的となっている。高層住宅のベランダには適用できない。
【００１１】
さらに、特許文献３の提案では、容量３０００リットル等の折り畳み可能な袋体が使用され、特許文献４の提案では、ゴミ排出パイプ８が露出しているが、家屋の縦樋の傍にこれらのものが存在するのは、スペース的にも美観的にも問題がある。
【００１２】
本発明は、前記のような事情に鑑みてなされたものであり、限られた地域に対して短時間の多量の雨が何回も継続して降る集中豪雨があっても、下水道等が機能不全に陥ったり、雨水管内に雨水が滞留したりすることのない、雨水制御方法及び装置を提供しようとするものである。特に、住宅の雨水管から下水道等への雨水の流入量を制限し、流入が制限された雨水の貯留機能及び排出機能を有し、降雨量が制限値を下回ったら貯留された雨水が自然排水され、省スペース的で美感も良い、雨水制御方法及び装置を提供しようとするものである。
【課題を解決するための手段】
【００１３】
前記課題を解決するため、本発明に係る雨水制御方法は、住宅の雨水管における雨水の流量を制限する流量絞りと、該流量絞りで流量制限される雨水を受け入れる貯留タンクと、を備え、該貯留タンクは、許容最大貯水量を超える雨水を外部に排出することにより前記雨水管内に雨水が滞留することを防止可能な過剰水排出口を上部に備え、前記貯留タンクが実質的に空になるように該貯留タンク内の雨水を自然に排出する常時開放の全量排出口が前記貯留タンクに連通して形成されている雨水制御装置を使用し、限られた地域に対して短時間の多量の雨が何回も継続して降る集中豪雨の際に、一回の豪雨中に前記貯留タンクへの雨水貯留を行い、該一回の豪雨が収まった後、次の豪雨が来るまでの間に３０分程度で前記全量排出口からの全量排出を行うことを特徴とする（請求項１）。
【００１４】
本発明によれば、雨水管における雨水の流量が流量絞りで制限され、流量制限された雨水は、貯留タンクに貯留される。これにより、集中豪雨があっても、下水道等が機能不全に陥ることが防止できる。特に、多くの市民や自治体の協力を得て大規模に採用することで、より大きな効果が得られる。
【００１５】
貯留タンク内の水量が許容最大貯水量に到達すると、それを超える雨水は貯留タンクの過剰水排出口から外部に排出される。よって、貯留タンクが満杯になった後も、雨水管内に雨水が滞留することがない。
【００１６】
一回の豪雨が収まり貯留タンクへの雨水の流入が停止すると、次の豪雨が来るまでの間に貯留タンク内の雨水が３０分程度で実質的に空になるように、常時開放の全量排出口から自然に排出される。このため、次の豪雨にも対応できる。なお、貯留タンクが許容最大貯水状態から実質的に空になるまでの時間は、貯留タンクの容量と全量排出口の大きさとによって定まる。
【００１７】
なお、本発明に係る雨水制御装置は、戸建て住宅の雨水管に対して適用できるほか、高層住宅の各戸のベランダの雨水管に対しても適用できることは勿論である。
【００１８】
好適な実施の一形態として、前記流量絞りの雨水通過率が５％乃至４０％である態様を例示する（請求項２）。
【００２１】
好適な実施の一形態として、前記貯留タンクの雨水が前記一回の豪雨が収まった後、次の豪雨が来るまでの間に３０分程度で実質的に全て排出されるように、前記貯留タンクの容量と前記全量排出口の大きさとが設定されている態様を例示する（請求項３）。
【００２３】
本発明に係る雨水制御装置は、住宅の雨水管における雨水の流量を制限する流量絞りと、該流量絞りで流量制限される雨水を受け入れる貯留タンクと、を備え、該貯留タンクは、許容最大貯水量を超える雨水を外部に排出することにより前記雨水管内に雨水が滞留することを防止可能な過剰水排出口を上部に備え、前記貯留タンクが実質的に空になるように該貯留タンク内の雨水を自然に排出する常時開放の全量排出口が前記貯留タンクに連通して形成されている雨水制御装置であって、前記貯留タンクが、前記雨水管を包囲するように組み合わせ可能な分割部品の液密な結合により形成されることを特徴とする（請求項４）。このようにすれば、既設の雨水管に対して貯留タンクを後付けする場合の後付け作業が簡単且つ迅速に行える利点がある。
【００２９】
本発明に係る雨水制御装置は、住宅の雨水管における雨水の流量を制限する流量絞りと、該流量絞りで流量制限される雨水を受け入れる貯留タンクと、を備え、該貯留タンクは、許容最大貯水量を超える雨水を外部に排出することにより前記雨水管内に雨水が滞留することを防止可能な過剰水排出口を上部に備え、前記貯留タンクが実質的に空になるように該貯留タンク内の雨水を自然に排出する常時開放の全量排出口が前記貯留タンクに連通して形成されている雨水制御装置であって、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの下部が戻し管によって前記流量絞りよりも上流側で前記雨水管に連通され、前記戻し管が前記過剰水移送管を兼ね、前記流量絞りの雨水通過孔が前記全量排出口となることを特徴とする（請求項５）。この場合、戻し管は、流量絞りで流量が制限された雨水を滞りなく貯留タンクに流入させることができるように、十分な大きさの内径を有することが必要となる。よって、前記流量絞りの雨水通過孔の大きさ（雨水通過率）に依存して、貯留タンクの雨水の全量排出時間が定まる。
【００３４】
本発明に係る雨水制御装置は、住宅の雨水管における雨水の流量を制限する流量絞りと、該流量絞りで流量制限される雨水を受け入れる貯留タンクと、を備え、該貯留タンクは、許容最大貯水量を超える雨水を外部に排出することにより前記雨水管内に雨水が滞留することを防止可能な過剰水排出口を上部に備え、前記貯留タンクが実質的に空になるように該貯留タンク内の雨水を自然に排出する常時開放の全量排出口が前記貯留タンクに連通して形成されている雨水制御装置であって、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの上端の少なくとも一部が開放されて上端開放部が形成され、該上端開放部が前記過剰水排出口とされ、前記貯留タンクの前記上端開放部に向けて前記過剰水移送管の外端部が開口していることを特徴とする（請求項６）。前記上端開放部に網状等の通水可能なゴミ除けを設けてもよい。
【図面の簡単な説明】
【００３９】
【図１】本発明の実施の一形態に係る雨水制御装置を含む、雨水管及び汚水桝の配管系の説明図である。
【図２】図１の要部の拡大断面図である。
【図３】図２の変形例の説明図である。
【図４】図２の変形例の説明図である
【図５】図２の変形例の説明図である。
【図６】図２の変形例の説明図である。
【図７】図４の変形例の説明図である。
【図８】図７の変形例の説明図である。
【図９】図８の変形例の説明図である。
【図１０】図７の変形例の説明図である。
【図１１】図７の変形例の説明図である。
【図１２】流量絞りによる雨水通過率を調整可能とするための具体例を示す説明図である。
【図１３】従来例の雨水管及び汚水桝の配管系の説明図である。
【発明を実施するための形態】
【００４０】
以下、添付図面を参照して、本発明の実施の形態について説明する。
【００４１】
図１に示すように、住宅１に対応する汚水桝２が住宅敷地の地中に埋設され、この汚水桝（宅内汚水桝）２には、汚水管３と雨水管４とが連通する。汚水桝２は、それ自体公知のものであり、屎尿や生活雑排水等の住宅の汚水を受け入れて貯留し、その貯留水を、下水排水管５を通して下水道へと排出する。汚水桝自体の構成は本発明の要旨とは関係がないので説明を省略する。
【００４２】
図１では、汚水源６及び汚水管３の一例として、住宅のトイレ（便器）と、このトイレから汚水桝２へと延びる汚水管を図示してある。図示してはいないが、他の汚水源６として、台所の流し、風呂場、洗濯場等が挙げられる。
【００４３】
雨水管４は、地上管７と埋設管８とからなる。地上管７は、住宅の雨樋であり、住宅１の軒に沿って配設される軒樋９と、この軒樋９から住宅の外部を地面まで延びる縦樋１０とで構成される。この縦樋１０は、地中に配設される埋設管８に接続され、この埋設管８が汚水桝２に接続される。図１の例では、一つの軒樋に対し、縦樋１０と埋設管８との組合せが二系統配設されているが、縦樋１０と埋設管８との組み合わせは少なくとも一系統あればよい。
【００４４】
なお、図１の別例として、図１０に示すように、汚水桝２に代えて雨水専用の雨水桝２ａに縦樋１０の雨水が導入される態様であってもよい。
【００４５】
図１に示すように、縦樋１０の下部には貯留タンク１９が配設される。
【００４６】
図２に示すように、貯留タンク１９は、上下方向に延びる筒状の部材である。該貯留タンク１９は、上下に二分割された縦樋１０の、上側樋（上側管）１３の下端１３ａと下側樋（下側管）１４の上端１４ｂを包み込むように、雨水管４の回りに配設される。貯留タンク１９は円筒型でも角筒型でもそれらの結合型でもよいが、縦樋１０が通常円筒状なので、それに合わせて円筒状とすると外観上の調和がよいと思われる。
【００４７】
既設の縦樋１０に設置する場合には、縦樋１０を包囲するように組み合わせ可能な分割部品の液密な結合によって貯留タンク１９が形成される態様とすると好適である。例えば、二つの半円筒型の分割部品の結合により縦樋１０の周囲に貯留タンク１９が円筒型に形成される態様や、半円筒型又は断面Ｕ字形の第一の分割部品と平板状の第二の分割部品との結合により、縦樋１０の周囲に貯留タンク１９が形成される態様である。このようにすれば、既設の縦樋に対して貯留タンクを後付けする場合の後付け作業が簡単且つ迅速に行える利点がある。
【００４８】
貯留タンク１９は、タンク底面となる内向きフランジ１８を下端に備え、上端の少なくとも一部が開放されている。下端の内向きフランジ１８は、下側樋１４の外周面に対して液密に連結される。上側樋１３と下側樋１４の間の隙間が貯留タンク１９の内部に連通しており、縦樋１０を流れる雨水が貯留タンク１９内にも流入できるようになっている。貯留タンク１９の上端開口部が過剰水排出口２０となる。図２では、貯留タンク１９の上端を全て開口させて過剰水排出口２０としてあるが、これには限定されず、貯留タンク１９の上端の一部を開口させて過剰水排出口２０とすることもできる。
【００４９】
内向きフランジ１８は、貯留タンク１９の底面となるとともに、貯留タンク１９と縦樋１０の固定の役割も果たす。
【００５０】
図２の例では、過剰水排出口２０を自動的に開閉する蓋２１が設けられる。この蓋２１は、過剰水排出口２０を常時は閉じ、且つ、貯留タンク１９内の水圧によって過剰水排出口２０を自動的に開放する。
【００５１】
蓋２１は、常時は蓋受け２２によって支持される。この蓋受け２２は、網状等の通水可能なものであり、貯留タンク１９の内周面と上側樋１３の外周面との間に配設されて、貯留タンク１９の内部の上部に位置する。蓋２１の中央部には、上側樋１３を受け入れる孔２３が形成される。この孔２３で案内されて蓋２１が上側樋１３に沿って上下動し、貯留タンク１９内の水圧に応じて過剰水排出口２０が自動的に開閉される。
【００５２】
また、蓋受け２２は、貯留タンク１９と縦樋１０の固定の役割も果たす。
【００５３】
蓋２１を設けることで、過剰水の排出が必要なとき以外は常時、過剰水排出口２０が閉じられるので、過剰水排出口２０から異物が入り込んでしまうことが防止できる。蓋２１を設けることは、過剰水排出口２０を上向きにした場合に特に有効となる。但し、蓋２１の配設は任意である。
【００５４】
なお、蓋２１は、自重のみによって過剰水排出口２０を閉じるものであってもよいし、自重プラスばね力で過剰水排出口２０を閉じるものであってもよい。
【００５５】
図２の例では、下側樋１４内に流量絞り２４が設けられる。流量絞り２４は、雨水通過孔２４ａと流量絞り面２４ｂとを備え、流量絞り面２４ｂが下側樋１４の流路面積を狭めることで、雨水管４内における雨水の流量を制限する。流量絞り２４によって流量を制限される雨水は、上側樋１３と下側樋１４の間の隙間を通って貯留タンク１９内に溜められる。貯留タンク１９が満杯になるほど雨量が多い場合には、貯留タンクの許容最大貯水量を超える過剰な雨水が蓋受け２２上の蓋２１を押し上げ、過剰水排出口２０から外部へ流出する。
【００５６】
過剰水排出口２０は、貯留タンク１９の許容最大貯水量を超える雨水を外部に排出することにより、流量絞り２４より上流側の雨水管４内に雨水が滞留することを防止するためのものである。よって、過剰水排出口２０は、豪雨の場合でも流量絞り２４より上流側の雨水管４内に雨水が滞留しないだけの開口面積を必要とする。
【００５７】
同様の理由で、上側樋１３と下側樋１４の間の隙間は、流量絞り２４によって流量が制限された雨水が、縦樋１０内に滞留することなく貯留タンク１９に流入できるだけの大きさが必要である。なお、上側樋１３と下側樋１４の間の隙間の上下寸法は、図３に示すように、貯留タンク１９の上端付近まで拡張することもできる。
【００５８】
流量絞り２４を設けることで、汚水桝２への、ひいては下水道への、雨水の流入量が予め制限されるので、集中豪雨時における下水道の機能不全や、汚水桝２から汚水源６への汚水の逆流が防止できる。貯留タンク１９の許容最大貯水量を超える雨水は過剰水排出口２０から外部へ排出されるので、流量絞り２４より上流側の雨水管４内に雨水が滞留することはない。よって、縦樋１０が雨水で満たされてしまい、軒樋９から軒先へと雨水が溢れ落ちる等の問題も起きない。
【００５９】
一回の豪雨が小雨になり、貯留タンク１９への雨水の流入が停止すれば、貯留タンク１９に貯留された雨水が流量絞り２４の雨水通過孔２４ａを通って自然に下流側へと流れ出る。すなわち、図２の例では、流量絞り２４の雨水通過孔２４ａが、貯留タンク１９内の雨水を該貯留タンク１９が実質的に空になるまで自然に排出するための全量排出口となる。したがって、貯留タンクの１９の容量と、流量絞り２４の雨水通過孔２４ａの大きさとにより、貯留タンク１９内の雨水の全量排出時間が定まることになる。貯留タンク１９が空になることにより、次の豪雨にも対応できる。
【００６０】
後で図１２を参照して説明するように、流量絞り２４の雨水通過率が無段階に調整できる態様とするのが好ましい。これにより、流量絞り２４を通過する雨水の流量調整が可能となる。流量絞りの２４の雨水通過率は、雨水で満杯となった貯留タンク１９が３０分程度で実質的に空になるように調整するのが好ましい。
【００６１】
図２の例は、上下方向に延びる筒状の貯留タンク１９を、縦樋１０を包み込むように縦樋１０の回りに配設する構成であるので、省スペース的で美感も良い。
【００６２】
なお、前記構成に代えて、図３に示すように、貯留タンク１９の上端開放部の過剰水排出口２０が蓋２０ａで塞がれて密閉される構成とし、貯留タンク１９の周囲の上部の一部を切り欠き、上端部に近い位置に新たな過剰水排出口２０ｂを横向きに設けても良い。この場合、横向きの過剰水排出口２０ｂを、水圧に応じて自動開閉自在な図示しない蓋で覆う構成としてもよいし、該蓋のない構成とすることもできる。
【００６３】
図３において新たに設けた過剰水排出口２０ｂも、貯留タンク１９の許容最大貯水量を超える雨水を外部に排出することにより、流量絞り２４より上流側の雨水管４内に雨水が滞留することを防止するためのものである。よって、過剰水排出口２０ｂは、豪雨の場合でも、流量絞り２４より上流側の雨水管４内に雨水を滞留させないだけの開口面積を必要とすることは勿論である。
【００６４】
図４は図２の変形例である。よって、図２の例と同じ部分には図２と同じ符号を付して重複する説明を省略する。流量絞り２４は、貯留タンク１９の上部に移動してある。縦樋１０の一部を切欠いて形成した開口部４０が流量絞り２４の上流側に配設される。貯留タンク１９の内周面と縦樋１０の外周面と貯留タンク１９の下端の内向きフランジ１８とで画成される空間が貯水域となる。貯留タンク１９の容量は、例えば２００〜３００リットルとする。
【００６５】
内向きフランジ１８より上方位置で縦樋１０の一部を切欠いて、戻し穴９９が形成される。戻し穴９９は、一回の豪雨が収まった後に、貯留タンク１９内の雨水を流量絞り２４の下流側の縦樋１０へ少量ずつゆっくりと戻すための全量排出口である。戻し穴９９の大きさを適宜に設定することで、戻し穴９９から縦樋１０への雨水の戻り時間（貯留タンク１９内の雨水の全量排出時間）を調整できる。１５分から４５分程度で貯留タンク１９が実質的に空になるように戻し穴９９の大きさを設定するのが良い。
【００６６】
流量絞り２４の作用で開口部４０から溢れ出た過剰の雨水は、貯留タンク１９内に流れ落ちて下から順に貯留される。貯留タンク１９の許容最大貯水量を超える雨水は、蓋２１を押し上げて貯留タンク１９の上端の過剰水排出口２０から外に流れ出る。一回の豪雨が小雨になり、縦樋１０内の雨水の全量が流量絞り２４を通過できる状態になると、貯留タンク１９への雨水の流入はなくなり、貯留タンク１９内の水圧の低下により、蓋２１が自然に閉まる。その後、貯留タンク１９内の雨水は、貯留タンク１９の下部の戻し穴９９から縦樋１０へと流出する。そして、再び豪雨が来ると、貯留タンク１９の貯水機能が再び発揮される。
【００６７】
なお、図４においても、図３の例と同様に、貯留タンク１９の上端の過剰水排出口２０が蓋で塞がれて密閉される構成とし、貯留タンク１９の周囲の上部の一部を切り欠き、上端部に近い位置に過剰水排出口２０の代わりに新たな過剰水排出口２０ｂ（逃げ口）を横向きに設けても良い。この場合、横向きの過剰水排出口２０ｂ（逃げ口）を、水圧に応じて自動開閉自在な図示しない蓋で覆う構成としてもよいし、該蓋のない構成とすることもできる。
【００６８】
過剰水排出口２０，２０ｂは、貯留タンク１９の許容最大貯水量を超える雨水を外部に排出することにより、流量絞り２４より上流側の雨水管４内に雨水が滞留することを防止するためのものである。よって、過剰水排出口２０，２０ｂは、豪雨の場合でも、流量絞り２４より上流側の雨水管４内に雨水を滞留させないだけの開口面積を必要とすることは勿論である。
【００６９】
同様の理由で、開口部４０の大きさは、流量絞り２４によって流量が制限された雨水が、縦樋１０内に滞留することなく貯留タンク１９に流入できるだけの大きさとすることが必要である。
【００７０】
図５は図２の変形例である。よって、図２の例と同じ部分には図２と同じ符号を付して重複する説明を省略する。図２の例との違いは、雨水管としての縦樋を上下に二分割することに代えて、図４と同様に縦樋の一部を切欠いて開口部４０を形成し、切り欠いた開口部４０の下流側の縦樋１０の内部に流量絞り２４が設けられた点である。開口部４０は、貯留タンク１９内で過剰水排出口２０と連通する。
【００７１】
図５の例では、後で図１２を参照して説明するように、重ね合わせて配設される二つの流量絞り２４，２４の片側に寄せた雨水通過孔４４，４４の重なりの小穴４４ａが、貯留タンク１９内の雨水を該貯留タンク１９が実質的に空になるまで自然に排出するための全量排出口となる。したがって、貯留タンク１９の容量と、流量絞り２４，２４の片側に寄せた雨水通過孔４４，４４の重なりの小穴４４ａの大きさとにより、貯留タンク１９内の雨水の全量排出時間が定まることになる。
【００７２】
図６も図２の変形例である。よって、図２の例と同じ部分には図２と同じ符号を付して重複する説明を省略する。この例は、貯留タンク１９が円筒型で、縦樋１０に対して偏心して設置される態様である。この態様は、図３〜図５にも適用可能である。この態様においては、縦樋１０の中心軸線Ｘ２に対して貯留タンク１９の中心軸線Ｘ１が住宅の壁面Ｗから遠い位置となるように偏心させて、縦樋１０に対して貯留タンク１９を設置する。これにより、縦樋１０と住宅の壁面Ｗとの間の隙間が小さい場合でも、貯留タンク１９を縦樋１０に対して確実に取り付けることができる。
【００７３】
なお、図２〜図６の例は、戸建て住宅の縦樋に適用できることは勿論であるが、高層住宅のベランダの縦樋について適用すると特に好適である。すなわち、高層住宅では、大雨の際に雨水桝が満杯になり、低階層の住宅のベランダに雨水が滞留してしまうという問題が生ずる。そこで、貯留タンク１９を備え、貯水機能を有する図２〜図６の例を、高層住宅の各階（特に低層階）のベランダの縦樋に適用することで、ベランダに雨水が滞留してしまうという問題が解消すると同時に、集中豪雨時における下水道の機能不全を防止することができる。貯留タンク１９の容量を大きくしておけばおくほど効果が大きいことは勿論である。
【００７４】
図７は、図４の変形例である。よって、図４の例と同じ部分には図４と同じ符号を付して重複する説明を省略する。この例は、縦樋１０と貯留タンク１９を二重円筒構造にして貯留タンク１９を形成することに代えて、貯留タンク１９を縦樋１０とは別に設置するタイプである。図７の例は、特に既設の縦樋１０に付設する場合に好適である。
【００７５】
上下方向に延びる筒状の貯留タンク１９を縦樋１０の横に配設する。貯留タンクは上端と下端が密閉され、上端に近い位置の縦樋１０に管継ぎ手１２が設けられ、この管継ぎ手１２に接続される過剰水移送管１５によって縦樋１０の内部が貯留タンク１９に連通する。縦樋１０内には、管継ぎ手１２の下流側に流量絞り２４を配設する。流量絞り２４で流量を制限される雨水は、過剰水移送管１５を通って貯留タンク２４に流入する。
【００７６】
貯留タンク１９の上部の少なくとも一部を切り欠いて過剰水排出口２０ｂ（逃げ口）が設けられる。図７の例のように、貯留タンク１９の周壁の上部の一部を切り欠いて横向きの過剰水排出口２０ｂ（逃げ口）としてもよいし、貯留タンク１９の上端の少なくとも一部を開放して上向きの過剰水排出口（逃げ口）としてもよいし、過剰水排出口２０ｂを、水圧に応じて自動開閉自在な図示しない蓋で覆う構成としてもよいし、該蓋のない構成とすることもできる。
【００７７】
貯留タンク１９の下部には、縦樋１０に接続される戻し管５０が設けられ、この戻し管５０によって、流量絞り２４よりも下流側で縦樋１０の内部と貯留タンク１９の内部とが連通される。戻し管５０は、図４の戻し穴９９に対応する要素であり、一回の豪雨が収まった後に、貯留タンク１９内の雨水を流量絞り２４の下流側の縦樋１０へ少量ずつゆっくりと戻すための全量排出口である。戻し管５０の開口面積を適宜に設定することで、戻し管５０から縦樋１０への雨水の戻り時間を調整できる。
【００７８】
縦樋１０において、流量絞り２４で下流への流量を制限された雨水は、過剰水移送管１５を通って貯留タンク１９内へと流入し、下から順に貯留される。貯留タンク１９の容量を超える雨水は、過剰水排出口２０ｂから外に流れ出る。一回の豪雨が小雨になり、縦樋１０内の雨水の全量が流量絞り２４を通過できる状態になると、貯留タンク１９への雨水の流入はなくなり、貯留タンク１９内の雨水は、貯留タンク１９の下部の戻し管５０を通って縦樋１０へと自然に流出する。そして、再び豪雨が来ると、貯留タンク１９の貯水機能が再び発揮されるようになる。
【００７９】
なお、過剰水移送管１５と過剰水排出口２０ｂは、流量絞り２４によって流量が制限された雨水が、縦樋１０内に滞留することなく貯留タンク１９に流入、又は排出できるだけの大きさが必要であることは勿論である。
【００８０】
図８は、図７の変形例である。よって、図７の例と同じ部分には図７と同じ符号を付して重複する説明を省略する。図８の例は、前記貯留タンク１９の下部が戻し管５０によって前記流量絞り２４よりも下流側で縦樋１０と連通されることに代えて、前記貯留タンク１９の下部が戻し管５０によって前記流量絞り２４よりも上流側で縦樋１０と連通される態様である。すなわち、流量絞り２４が戻し管５０よりも下流側に位置している態様である。この場合、戻し管５０は過剰水移送管１５と同程度の開口面積としても良いし、図７の例と同様に、ごく小さい開口面積とすることもできる。図８は、過剰水移送管１５と同程度の開口面積とした例で示してある。
【００８１】
戻し管５０の開口面積を過剰水移送管１５と同程度にした場合には、流量絞り２４で流量を制限された過剰水は、戻し管５０を通って貯留タンク１９の中を上昇し、貯留タンク１９が満杯になると過剰水排出口２０ｂから自然に外部へと排出される。更なる過剰水は、過剰水移送管１５を通って過剰水排出口２０ｂから排出される。一回の豪雨が収まると、貯留タンク１９内に貯留された雨水は、戻し管５０と流量絞り２４とを通って、下流側へと排出される。排出時の流量は、全量排出口となる流量絞り２４で所定値に規制されるので、戻し管５０の開口面積が流量絞り２４の開口面積より大きくても全く問題はない。
【００８２】
一方、戻し管５０の開口面積を図７と同様にごく小さくした場合には、流量絞り２４で流量を制限された過剰水は、主として過剰水移送管１５を通って貯留タンク１９内に流入する。貯留タンク１９が満杯になると、貯留タンク１９の雨水は過剰水排出口２０ｂから自然に外部へと排出される。一回の豪雨が収まると、貯留タンク１９内に貯留された雨水は、戻し管５０と流量絞り２４とを通って、下流側へと排出される。排出時の流量は、全量排出口となる戻し管５０の開口面積によって規制される。
【００８３】
図９は、図８の変形例である。よって、図８の例と同じ部分には図８と同じ符号を付して重複する説明を省略する。図９は、戻し管５０が過剰水移送管１５も兼ねる態様であり、戻し管５０は図８の過剰水移送管１５と同程度の太さ（開口面積）とされ、過剰水は前記戻し管５０を通り貯留タンク１９の中を上昇、又は降下する構成である。図９の例は、戻し管５０が過剰水移送管１５をも兼ねるので、図８における管継ぎ手１２と過剰水移送管１５が不要である。よって、図９の例は、図８の例よりも簡易な構成となる。図９の例では、流量絞り２４の雨水通過孔２４ａが全量排出口となる。
【００８４】
図７〜図９の例も、貯水機能を有するので、高層住宅のベランダの縦樋について適用すると特に好適である。
【００８５】
図１０は、図７の変形例である。よって、図７の例と同じ部分には図７と同じ符号を付して重複する説明を省略する。この例は、貯留タンク１９の上端の少なくとも一部を開放し、該上端開放部を過剰水排出口２０としたものである。上端開放部である過剰水排出口２０には、網状等の通水可能なゴミ除けを設けてもよい。図１０では、貯留タンク１９の上端を全て開口させて過剰水排出口２０としてあるが、これには限定されず、貯留タンク１９の上端の一部を開口させて過剰水排出口２０とすることもできる。
【００８６】
縦樋１０内に流量絞り２４が配設され、流量絞り２４よりも上流側に配設した管継ぎ手１２から過剰水移送管１５が延び出す。この過剰水移送管１５の外端部１５ａが、貯留タンク１９の上端開放部の上方から貯留タンク１９の内部に向けて開口している。
【００８７】
貯留タンク１９の下部には、縦樋１０に接続される戻し管５０が設けられ、この戻し管５０によって、流量絞り２４よりも下流側で縦樋１０の内部と貯留タンク１９の内部とが連通される。戻し管５０は、図７のものと同じである。
【００８８】
また、図１０の例では、貯留タンク１９の下部に、雨水を外部へ放出するための放水孔８８が配設される。この放水孔８８は、常時開放式のものでも良いし、水道栓のような開閉操作式のものでも良い。
【００８９】
縦樋１０において、流量絞り２４で下流への流量を制限された雨水は、過剰水移送管１５を通って貯留タンク１９内へと流入し、下から順に貯留される。貯留タンク１９の容量を超える雨水は、過剰水排出口２０から外に流れ出る。一回の豪雨が小雨になり、縦樋１０内の雨水の全量が流量絞り２４を通過できる状態になると、貯留タンク１９への雨水の流入はなくなり、貯留タンク１９内の雨水は、貯留タンク１９の下部の戻し管５０を通って縦樋１０へと自然に流出する。そして、再び豪雨が来ると、貯留タンク１９の貯水機能が再び発揮されるようになる。
【００９０】
図１０の例は、都会の戸建て住宅において、大雨で汚水桝２及び／又は雨水桝２ａが満杯にならないように、雨樋の過剰の雨水を自宅の敷地に散布し、浸透させ、又は／及び貯留タンク１９に一時的に多量の雨水を貯留させる態様である。これにより、都市の下水道が満杯になることを防止することができる。
【００９１】
なお、図１０では、縦樋１０内の雨水が雨水専用の雨水桝２ａに流入し、この雨水桝２ａから下水排水管５を通って下水道５５へと雨水が排出される態様を例示しているが、雨水桝２ａに代えて、図１に示す汚水桝２に雨水が導入される態様とすることもできることは勿論である。
【００９２】
図１１は、図７の変形例である。よって、図７の例と同じ部分には図７と同じ符号を付して重複する説明を省略する。この例は、図７のものにおいて、戻し管５０を廃止し、貯留タンク１９の下部の一部を切り欠いて放水孔５１を形成し、この放水孔５１を全量排出口としたものである。貯留タンク１９内の雨水は、放水孔５１を通って外部へと自然に流出する。放水孔５１の大きさに依存して、貯留タンク１９内の雨水の全量排出時間が定まる。
【００９３】
以上の実施の形態において、さらに、次のような変形例又は具体例を採用することもできる。
【００９４】
（１）流量絞り２４による雨水通過率が縦樋１０の外部から調整可能とされる態様である。雨水通過率の調整は、段階的に行うことができるものでもよいが、図１２の例のように無段階又は連続的に行える態様とすると好適である。
【００９５】
図１２に示すように、掛止アーム４２を有する流量絞り２４を少なくとも二つ準備する。両者は同一の構成であり、円盤状の流量絞り面４３に雨水通過孔４４を有する。この雨水通過孔４４は円形又は半円形の孔であり、上から見て円形の流量絞り面４３の半分又はそれ以下の面積で、流量絞り面４３の片側に寄せて配設されている。
【００９６】
二つの流量絞り２４，２４の流量絞り面４３，４３を図１２に矢印Ａで示すように重ね合わせて、掛止アーム４２，４２にて、縦樋１０内に吊設する。この重合吊設状態において、図１２に矢印Ｂで示すように、一方の流量絞り２４を流量絞り面４３の中心軸線Ｘの回りで回動させて、他方の流量絞り２４に対する重合角度位置を変更すると、二つの流量絞り２４，２４の流量絞り面４３の片側に寄せた雨水通過孔４４，４４の重なり具合が連続的に変化する。これにより、二つの流量絞り２４，２４によって画定される雨水通過孔４４，４４の重なりの小穴４４ａの開口面積が連続的に変化し、雨水通過率が無段階に調整される。図１２の例によれば、雨水通過率の調整を簡易な構成で達成できて好適である。流量絞り２４の雨水通過率の調整範囲は、例えば、５％乃至４０％程度とすることができる。
【００９７】
なお、流量絞り２４の回動操作は、掛止アーム４２の少なくとも一部が外部へ露出している場合には、掛止アーム４２の内、縦樋１０の外部に露出している部分を利用して行うことができる。別例として、掛止アーム４２の少なくとも一部が外部へ露出していない場合には、外部から流量絞り２４を回動操作できるように、外部に露出する調整レバー（操作部材）２６を掛止アーム４２に設けると好適である。例えば、図５に示すように、貯留タンク１９の周囲に横方向のスリット２６ａを設け、掛止アーム４２に連結される調整レバー２６を前記スリット２６ａから外部へ延び出させておけばよい。
【００９８】
（２）流量絞り２４は、例えば、雨水通過率が２０％、４０％、６０％と異なるものを準備しておき、汚水桝２及び／又は雨水桝２ａの容量や排水能力に応じて選択できるようにすると良い。
【００９９】
（３）敷地がある住宅では、図２〜図１１における貯留タンク１９の一部、好ましくは大半の部分（９０％以上）を、地中に埋設して見えなくすることもできる。この場合、特に貯留タンク１９の形状は自由にできる。例えば、横に大きくして埋設の部分を浅くできる。
【０１００】
（４）満杯になった貯留タンク１９が１５分から４５分程度、好ましくは３０分程度で実質的に空になるように、貯留タンク１９の容量と全量排出口の大きさとを設定することもできる。
【産業上の利用可能性】
【０１０１】
調査によると、大雨対策に必要な地下の貯留管６６（図１０参照）を都市の一部に建設するだけでも、数十億円から百億円を超える費用がかかる。例えば、次の通りである。
【０１０２】
調査結果Ａ：直径４．２５ｍ、長さ１．９ｋｍ、２４，０００&#13221;の貯留管の埋設コスト：６９億円
【０１０３】
調査結果Ｂ：直径５．５０ｍ、長さ６．５ｋｍ、８６，０００&#13221;の貯留管の埋設コスト：１９９億円
【０１０４】
これに対し、本発明の雨水制御装置を採用すれば、試算では、十分の一程度で同じ効果を奏すると見込まれる。
【０１０５】
住宅敷地がある個人住宅で、一世帯に４個の雨水制御装置を適用し８００リットル（ドラム缶で４個分）の過剰の雨水を保水できると仮定して、単価約５０００円の雨水制御装置を３万世帯〜１０万世帯で採用すれば、５０００円×４個×３〜１０万世帯、すなわち、６〜２０億円で大きな貯留管と同じ効果を達成できる。
【０１０６】
実際に対策しなければならないのは、集中豪雨である。ここで、集中豪雨とは、局地的で短時間（例えば１０分）の強い雨、つまり限られた地域に対して短時間の多量の雨が何回も継続して降ることをいう。集中豪雨時には、下水道の排水機能が限界を超える場合がある。本発明の雨水制御装置は、このような短時間に急激に降る集中豪雨の際に、雨樋の過剰の雨水を過剰水排出口から排出でき、及び／又は貯留タンクに貯留できる。
【０１０７】
ちなみに、気象庁の平成２１年の報告によれば、次の通りである。
【０１０８】
＜防災気象情報の活用の手引き＞
引用：局地的大雨と集中豪雨の雨の降り方の特徴
【０１０９】
短時間にまとまって降る強い雨は、局地的大雨でも集中豪雨でも発生します。局地的大雨ではそれが一過性であり、集中豪雨はそれを繰り返すという違いがあります。結果的に集中豪雨は、局地的大雨に比べ、大雨の継続時間が長く総雨量は多くなります。集中豪雨（２００８年７月２８日金沢市医王山）の例では、１０分間あたり１０ｍｍ以上の雨（そのまま 1 時間降り続くと６０ｍｍ以上となる非常に激しい雨）が、強弱を繰り返しながら ３〜４時間降り続き、総雨量は １４２ｍｍとなりました。局地的大雨(２００８年７月２８日三田市)の例では、１０分間あたり１０ｍｍ前後の雨が、１時間にまとまって降り、総雨量は ６３ｍｍになりました。」
【０１１０】
これを参考に計算すると、自宅が６０坪なら、６０×３．３平方メートル＝１９８平方メートル＝１９８００００平方センチメートルの面積に、１０分間で１ｃｍ（１０ｍｍ）×１９８００００平方センチメートル＝１９８００００立方センチメートルの雨が降ることになる。１リットルは１０００立方センチメートルなので、６０坪に１０分で１９８０リットル（約２０００リットル）の降雨量となる。
【０１１１】
約２０００リットルの雨が自宅６０坪に降るとすると、敷地の半分が家屋の屋根とすれば、半分の１０００リットル、すなわち、５本のドラム缶相当の雨水が屋根に降り注ぐこととなる。この一回の豪雨の雨水の４０％（２本のドラム缶相当）を縦樋の外に排出して、敷地に散布又は／及び貯留タンクに保水すれば、下水道に流れる雨水を大きく減らすことができる。
【０１１２】
住宅敷地がある個人住宅で、一世帯に４個の雨水制御装置を適用し、８００リットル（ドラム缶（２００リットル）で４個分）の過剰の雨水を保水できると仮定して計算したが、実際にはその半分で済むと見込まれる。１０分間あたり１０ｍｍ前後の雨がさらに１０分継続してもほぼ耐えられる。
【０１１３】
現実には、住宅の敷地は既にある程度、浸透水で満たされているので、敷地に流すよりも、貯留タンクに保水することが好ましい。簡易的手段としては、例えば古いドラム缶を縦樋の近くに設置して、ドラム缶に貯留し、雨が止んでから敷地に散布し捨てるか、ドラム缶の下部の周囲の壁に所定の大きさの放水孔８８（図１０参照）を開け、溜めた雨水を３０分程度で放出すれば、次に来る豪雨に再び対応することができる。これは、従来の地下の貯留管の機能と類似した機能である。放水孔８８から放出された雨水は、敷地の地下に浸透するか、道路の側溝に流れ込み、下水道や近くの河川に流れ出る。
【０１１４】
戸建て住宅一軒で４個もの貯留タンク（例えばドラム缶）を外に出して置くのは美観が損なわれるという場合は、図２〜図６に示したタイプの貯留タンク１９を採用すればよい。
【０１１５】
図２〜図１１に示した貯留タンク１９として、例えば直径３０ｃｍの円筒を使用する場合、その円筒の断面積は約３．１４×１５×１５＝７０６ｃｍ２であるから、ドラム缶一缶分の２００リットルの容量とするには、約２８０ｃｍの高さが必要となる。
【０１１６】
住宅の四隅の縦樋のそれぞれに前記サイズの貯留タンク１９を取り付けても、それほど美観を損なうことは無いと推察される。貯留タンクが太過ぎてやはり美観が気になる方は、直径２０ｃｍの円筒にすれば、８８リットルの容量を貯留できる。十分とは言えないが、大雨対策にはなると考えられる。
【０１１７】
高層住宅の各階のベランダに円筒の貯留タンク１９を設置する場合には、１世帯で一つの貯留タンクとして、２０階の高層住宅で各階に２０世帯があるとすると、１世帯が２００リットルを貯留すれば、４００世帯で８００００リットルとなり、４００本のドラム缶の容量に相当する。
【０１１８】
２４，０００ｍ３の貯留管の埋設コストが６９億円というデータと比較すると、１世帯がドラム缶で４個分の過剰の雨水を保水できると仮定して、３万世帯が協力して採用する必要があったから、１２万個のドラム缶相当の量である。
２４，０００ｍ３の貯留管と同じ機能を上記の高層住宅が担うとすると、３００棟の協力が必要となる。都市では、敷地がある個人住宅の数は限られており、高層住宅の協力は必須と思われる。住み良い街作りのために、地域住民を含め、自治体も一緒になって取り組むことが望まれる。
【符号の説明】
【０１１９】
１    住宅
２    汚水桝
２ａ  雨水桝
４    雨水管 ・・・｛地上管７(軒樋９＋縦樋１０)＋埋設管８｝
６    汚水源（トイレ等）
２０，２０ｂ  過剰水排出口
２１  蓋
１８  内向きフランジ
１９  貯留タンク
２４  流量絞り
２６  調整レバー（操作部材）
４０  開口部
４３  流量絞り面
４４  雨水通過孔
５０  戻し管
５５  下水道
６６  貯留管
９９  戻し穴
【要約】
【課題】住宅の雨水管から下水道へ向けて雨水が過剰に流入することを防止し、都市の下水道が満杯になることを防止する。
【解決手段】限られた地域に対して短時間の多量の雨が何回も継続して降る集中豪雨の際に、一回の豪雨中に貯留タンク１９への雨水貯留を行い、該一回の豪雨が収まった後、次の豪雨が来るまでの間に、貯留タンク１９に連通して形成された常時開放の全量排出口（図２の例では流量絞り２４の雨水通過孔２４ａ）から３０分程度で全量排出を行う。
【選択図】  図２【図１】
0006002995.tif 000002
【図２】
0006002995.tif 000003
【図３】
0006002995.tif 000004
【図４】
0006002995.tif 000005
【図５】
0006002995.tif 000006
【図６】
0006002995.tif 000007
【図７】
0006002995.tif 000008
【図８】
0006002995.tif 000009
【図９】
0006002995.tif 000010
【図１０】
0006002995.tif 000011
【図１１】
0006002995.tif 000012
【図１２】
0006002995.tif 000013
【図１３】
0006002995.tif 000014